(57)【特許請求の範囲】
【請求項１】
光ディスクを出し入れするスロット部と、
光ディスクを回転して記録信号を読み取り可能とする回転部と、
スロット部から回転部へ光ディスクを移動して装填させるローディング動作及び回転部からスロット部へ光ディスクを移動して排出させるアンローディング動作を行うスロットイン式ローディング部と、
スロットイン式ローディング部のローディング動作で光ディスクが回転部に装填状態となったことを検出するための装填検出部と、
スロットイン式ローディング部のアンローディング動作で光ディスクが所定の排出位置に来たことを検出するための排出検出部と、
光ディスク未装填状態でスロット部から光ディスクが挿入されるとスロットイン式ローディング部を制御してローディング動作を開始させ、装填検出部で光ディスクが装填状態となったことが検出された所でローディング動作を停止させ、反対に、光ディスク装填状態でイジェクト操作部でイジェクト操作がされると、スロットイン式ローディング部を制御してアンローディング動作を開始させ、排出検出部で光ディスクが排出位置に来たことが検出されるとアンローディング動作を停止させるローディング制御部と、
を含み、
前記ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作がされると、イジェクト操作がされている間、スロットイン式ローディング部を制御してアンローディング動作を継続させるようにしたこと、
を特徴とするスロットイン式光ディスク再生装置。
【請求項２】
ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作がされると、所定の一定時間内に限ってイジェクト操作がされている間、スロットイン式ローディング部を制御してアンローディング動作を継続させるようにしたこと、
を特徴とする請求項１記載のスロットイン式光ディスク再生装置。
【請求項３】
複数のサイズの光ディスクを出し入れするスロット部と、
光ディスクを回転して記録信号を読み取り可能とする回転部と、
スロット部から回転部へ光ディスクを移動して装填させるローディング動作及び回転部からスロット部へ光ディスクを移動して排出させるアンローディング動作を行うスロットイン式ローディング部と、
光ディスクのサイズを検出するサイズ検出部と、
スロットイン式ローディング部のローディング動作で光ディスクが回転部に装填状態になったことを検出するための装填検出部と、
サイズ毎に設けられて、スロットイン式ローディング部のアンローディング動作で光ディスクがサイズに応じた所定の排出位置に来たことを検出するための複数の排出検出部と、
光ディスク未装填状態でスロット部から光ディスクが挿入されるとスロットイン式ローディング部を制御してローディング動作を開始させ、装填検出部で光ディスクが回転部に装填状態になったことが検出された所でローディング動作を停止させ、反対に、光ディスク装填状態でイジェクト操作部でイジェクト操作がされると、スロットイン式ローディング部を制御してアンローディング動作を開始させ、サイズ検出部で検出されたサイズに応じた排出検出部で光ディスクが排出位置に来たことが検出されるとアンローディング動作を停止させるローディング制御部と、を含み、
前記ローディング制御部は、光ディスク装填状態でのイジェクト操作部でのイジェクト操作により、スロットイン式ローディング部を制御してアンローディグ動作を開始させ、サイズ検出部で検出されたサイズに応じた排出検出部で光ディスクが排出位置に来たことが検出されたところでアンローディング動作を停止させて光ディスクの排出を完了した後、イジェクト操作部で更にイジェクト操作がされると、イジェクト操作がされている間、スロットイン式ローディング部を制御してアンローディング動作を継続させるようにしたこと、
を特徴とするスロットイン式光ディスク再生装置。
【請求項４】
ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作がされると、所定の一定時間内に限ってイジェクト操作がされている間、スロットイン式ローディング部を制御してアンローディング動作を継続させるようにしたこと、
を特徴とする請求項３記載のスロットイン式光ディスク再生装置。
【発明の詳細な説明】
【０００１】
【発明の属する技術分野】
本発明はスロットイン式光ディスク再生装置に係り、とくに、規格外の光ディスクでも確実に排出できるようにしたスロットイン式光ディスク再生装置に関する。
【０００２】
【従来の技術】
直径１２ｃｍの通常のＣＤまたは直径８ｃｍのシングルＣＤをトレイに載せることなくスロット部から直接挿入可能としたスロットイン式ＣＤプレーヤが有る。従来のスロットイン式ＣＤプレーヤのスロットイン式ローディング部を中心とした構成を図９に示す。１は前面パネルであり、１２ｃｍの通常のＣＤ２又は８ｃｍのシングルＣＤ３を出し入れするスロット部４が設けられている。ＣＤ２またはシングルＣＤ３の内、２ａまたは３ａは中心孔、２ｂまたは３ｂは信号が記録される信号記録面領域であり、光を反射する性質を持つ。２ｃまたは３ｃは中心孔２ａまたは３ａと信号記録面領域２ｂまたは３ｂの最内周との間の透明領域、２ｄまたは３ｄは信号記録面領域２ｂまたは３ｂの最外周とディスク最外周との間の狭い透明領域である。
【０００３】
５は図示しないシャーシに装備されたスピンドルモータ（図示せず）により回転される回転部としてのターンテーブルであり、中央にはＣＤ２またはシングルＣＤ３の中心孔２ａまたは３ａが着脱自在に嵌合する凸部６が形成されている。７は光ピックアップであり、ターンテーブル５に装填されて所定の線速度で回転されるＣＤ２またはシングルＣＤ３の下側をディスク半径方向に移動しながら、信号記録面領域２ｂまたは３ｂにレーザビームを照射し、反射ビームを捕らえて光検出信号を出力する。この光検出信号から図示しないヘッドアンプでＲＦ信号が生成され、更に信号処理部で音楽データの復調処理がされるようになっている。
【０００４】
１０は図示しないシャーシの上で稼働するスロットイン式ローディングメカ部、１１はスロットイン式ローディングメカ部１０と結合されて駆動力を発生するローディングモータ、１２はローディングモータ１１を駆動する駆動部であり、これら３者によりスロットイン式ローディング部が構成されている。スロットイン式ローディングメカ部１０は、ディスク排出完了状態からローディングモータ１１の正転でローディング駆動されると、スロット部４から挿入されたＣＤ２またはシングルＣＤ３を、内部のターンテーブル５の上へ移動したあと降下させ、中心孔２ａまたは３ａをターンテーブル５の凸部６に嵌合させてディスク装填状態とさせるローディング動作を行う。反対に、ディスク装填状態からローディングモータ１１の逆転でアンローディング駆動されると、ＣＤ２またはシングルＣＤ３を上昇させて中心孔２ａまたは３ａをターンテーブル５の凸部６から離脱させたあと、スロット部４の方向へ移動させるアンローディング動作を行う。
【０００５】
１３は図示しないシャーシに装備されたディスク検出部であり、一対の発光素子１４、受光素子１５から構成されている。このディスク検出部１３はターンテーブル５の中心から見て真っ直ぐスロット部４の方向にＣＤ２の半径とシングルＣＤ３の半径の中間である１０ｃｍ離れた所に設置されており、真上にＣＤ２またはシングルＣＤ３の信号記録面領域２ｂまたは３ｂが来ると、スロットイン式ローディングメカ部１０に設けられた開口（図示せず）を通して発光素子１４から出た光がＣＤ２またはシングルＣＤ３の信号記録面領域２ｂまたは３ｂで反射されたあと受光素子１５で受光され、該受光素子１５からディスク有りを示すＨレベルの検出信号Ａが出力される。ディスク検出部１３の真上にＣＤ２またはシングルＣＤ３の信号記録面領域２ｂまたは３ｂが無いとき発光素子１４から出た光が受光素子１５で受光されず、該受光素子１５からディスク無しを示すＬレベルの検出信号Ａが出力される。ディスクがターンテーブル５に装填状態にあるときのディスク検出部１３の検出出力はディスクサイズを示す（Ｈレベルのとき１２ｃｍ、Ｌレベルのとき８ｃｍ）。ＣＤ２またはシングルＣＤ３がアンローディングされる際、発光素子１４の光軸とＣＤ２またはシングルＣＤ３との交点の軌跡が中心孔２ａまたは３ａの丁度真ん中を横切るように配置されている。
【０００６】
１６はスロットイン式ローディングメカ部１０がローディング動作を完了したとき機械的に接点が閉じることで、ＣＤ２またはシングルＣＤ３のターンテーブル５に対する装填完了を検出し、Ｈレベルの検出信号Ｂを出力する装填完了検出部である。なお、ＣＤ２またはシングルＣＤ３の中心孔２ａまたは３ａは、スロットイン式ローディングメカ部１０がローディング動作を完了する前にターンテーブル５の凸部６に嵌合して装填完了状態となる。
【０００７】
１７はシャーシに装備された第１ディスク排出検出部であり、一対の発光素子１８、受光素子１９から構成されている。この第１ディスク排出検出部１７は１２ｃｍのＣＤ２が所定の排出位置に来たことを検出するためのものであり、ターンテーブル５の中心から見てスロット部４の側の斜め方向に所定距離離れた所に設置されており、アンローディング動作中、真上にＣＤ２の信号記録面領域２ｂが在る間は、スロットイン式ローディングメカ部１０に設けられた開口（図示せず）を通して発光素子１８から出た光がＣＤ２の信号記録面領域２ｂで反射されたあと受光素子１９で受光され、該受光素子１９からディスクが排出位置に来ていないことを示すＨレベルの検出信号Ｃが出力される。アンローディング動作が進み、ＣＤ２がスロット部４からほぼ半分ほど外部に出たとき、第１ディスク排出検出部１７の真上にＣＤ２の縁が来て発光素子１８の光軸上にＣＤ２の信号記録領域２ｂが無い状態になり、発光素子１８から出た光が受光素子１９で受光されず、該受光素子１９からディスクが排出位置に来たことを示すＬレベルの検出信号Ｃが出力される。
【０００８】
２０はシャーシに装備された第２ディスク排出検出部であり、一対の発光素子２１、受光素子２２から構成されている。この第２ディスク排出検出部２０は８ｃｍのシングルＣＤ３が所定の排出位置に来たことを検出するためのものであり、ターンテーブル５の中心から見てスロット部４の側の斜め方向に所定距離だけ離れた所に設置されており、アンローディング動作中、真上にシングルＣＤ３の信号記録面領域３ｂが在る間は、スロットイン式ローディングメカ部１０に設けられた開口（図示せず）を通して発光素子２１から出た光がシングルＣＤ３の信号記録面領域３ｂで反射されたあと受光素子２２で受光され、該受光素子２２からディスクが排出位置に来ていないことを示すＨレベルの検出信号Ｄが出力される。アンローディング動作が進み、シングルＣＤ３がスロット部４からほぼ半分ほど外部に出たとき、第２ディスク排出検出部２０の真上にシングルＣＤ３の縁が来て発光素子２１の光軸上にシングルＣＤ３の信号記録面領域３ｂが無い状態になり、発光素子２１から出た光が受光素子２２で受光されず、該受光素子２２からディスクが排出位置に来たことを示すＬレベルの検出信号Ｄが出力される。
【０００９】
２３はイジェクト操作を行うためのイジェクトキー、ＰＬＡＹキー、ＳＴＯＰキーなど各種操作キーを有する操作部、２４はプレーヤの全体的な制御を司るマイコン構成のコントロール部であり、ディスク非装填状態でＣＤ２またはシングルＣＤ３がスロット部４から挿入されたとき、スロットイン式ローディング部を制御してローディング動作を行わせ、反対にディスク装填状態でイジェクトキーが押されてイジェクト操作がされたとき、スロットイン式ローディング部を制御してアンローディング動作を行わせる。また、コントロール部２４はディスク装填状態でＰＬＡＹキーが押されるとスピンドルモータによりターンテーブル４を回転させながら、光ピックアップ７、図示しないヘッドアンプ及び信号処理部から成る再生系を制御してＣＤ２またはシングルＣＤ３の再生を行わせる。
【００１０】
図１０と図１１はコントロール部２４の制御処理を示すフローチャート、図１２〜図１７はローディング／アンローディング動作の説明図であり、以下、これらの図を参照してスロットイン式ＣＤプレーヤにおけるローディング／アンローディング動作を説明する。なお、最初、図９に示す如くＣＤ２またはシングルＣＤ３がターンテーブル５に未装填状態であり、Ａ〜ＤがいずれもＬレベルになっているものとする。
【００１１】
ユーザがＣＤ２またはシングルＣＤ３をスロット部４から挿入し、信号記録面領域２ｂまたは３ｂがディスク検出部１３の上に来て発光素子１４から発射された光が受光素子１５で受光されると、該受光素子１５からディスク在りを示すＨレベルの検出信号Ａが出力される（図１２（１）または図１５（１）参照）。コントロール部２４は検出信号ＡがＨレベルに成るとディスクが挿入されたと判断し（図１０のステップＳ１０でＹＥＳ）、駆動部１２を制御してローディングモータ１１を一定速度で正転させ、スロットイン式ローディングメカ部１０をローディング駆動させる（ステップＳ１１）。これにより、ＣＤ２またはシングルＣＤ３はスロット部４からターンテーブル５に移動され、中心孔２ａまたは３ａが凸部６に嵌合する（図１２（２）または図１５（２）参照。この際、スロットイン式ローディングメカ部１０に連動した図示しないチャッキングメカ部によりＣＤ２またはシングルＣＤ３がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００１２】
コントロール部２４は検出信号ＢがＨレベルに成るとディスク装填が完了したと判断し（ステップＳ１２でＹＥＳ）、駆動部１２を制御してローディングモータ１１を停止させ、スロットイン式ローディングメカ部１０に対するローディング駆動を停止させ、スロットイン式ローディングメカ部１０のローディング動作を停止させる（ステップＳ１３）。このとき、ディスク検出部１３から入力された検出信号Ａをチェックして今回装填されたディスクのサイズを判別し、判別結果をＳＩＺＥデータとして記憶しておく（ステップＳ１４）。具体的にはＡがＨレベルとなっていたときは、ＳＩＺＥデータ＝１２ｃｍとして記憶し、ＡがＬレベルとなっていたときは、ＳＩＺＥデータ＝８ｃｍとして記憶しておく。このようにしてＣＤ２のターンテーブル５への装填が完了したとき、第１ディスク排出検出部１７と第２ディスク排出検出部２０の真上に信号記録面領域２ｂが来て、発光素子１８から発射された光が受光素子１９で受光され、該受光素子１９からＨレベルの検出信号Ｃが出力され、同様に、発光素子２１から発射された光が受光素子２２で受光され、該受光素子２２からＨレベルの検出信号Ｄが出力される（図１２（２）参照）。シングルＣＤ３のターンテーブル５への装填が完了したとき、第１ディスク排出検出部１７の真上には信号記録面領域３ｂが来ずに、第２ディスク排出検出部２０の真上に信号記録面領域３ｂが来て、発光素子１８から発射された光が受光素子１９で受光されず、該受光素子１９からＬレベルの検出信号Ｃが出力され、発光素子２１から発射された光が受光素子２２で受光され、該受光素子２２からＨレベルの検出信号Ｄが出力される（図１５（２）参照）。
【００１３】
このあと、操作部２３でＰＬＡＹキーが押されるとコントロール部２４はスピンドルモータによりターンテーブル５を回転させ、光ピックアップ７、図示しないヘッドアンプ、信号処理部の再生系によりＣＤ２またはシングルＣＤ３を先頭から再生させ、ＣＤ２またはシングルＣＤ３の最後まで再生が終わるか、ＳＴＯＰキーが押された所で再生を停止させる（ステップＳ１５〜Ｓ１９）。
【００１４】
ディスクの再生停止中にユーザがターンテーブル５に装填状態に在るＣＤ２またはシングルＣＤ３を取り出したいとき、操作部２３のイジェクトキーを押し、イジェクト操作を行う。すると、コントロール部２４はステップＳ２０でＹＥＳと判断し、図１１のフローへ進む。なお、ディスクの再生中にイジェクト操作がされたときは、再生を停止させたあと図１１のフローへ進む（ステップＳ２１でＹＥＳ、Ｓ２２）。図１１のフローではまず駆動部１２を制御してローディングモータ１１を一定速度で逆転させ、スロットイン式ローディングメカ部１０をアンローディング駆動を開始させる（ステップＳ３０）。最初、スロットイン式ローディングメカ部１０のアンローディング動作と連動してチャッキングメカ部によるチャッキングが解除する。続いて、スロットイン式ローディングメカ部１０のアンローディング動作により、ＣＤ２またはシングルＣＤ３が上昇して中心孔２ａまたは２ｂがターンテーブル５の凸部６から外れる（この段階で装填完了検出部１６の接点が開き、検出信号ＢはＬレベルに落ちる）。次に、ＣＤ２またはシングルＣＤ３がスロット部４の方向に真っ直ぐ移動していく。
【００１５】
コントロール部２４はステップＳ３０のあと、ディスク装填時に判別して記憶しておいたＳＩＺＥデータが１２ｃｍであれば、第１ディスク排出検出部１７の検出信号Ｃがディスクが排出位置に来たことを示すＬレベルになるのを待ち（ステップＳ３１、Ｓ３２）、ＣがＬレベルになったところで１２ｃｍのＣＤ２の排出完了と判断し（図１３（１）参照）、更に１３０  ｍｓ経過するのを待ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ３４、Ｓ３５）。これにより、１２ｃｍのＣＤ２の排出が完了し、ほぼＣＤ２の半分がスロット部４から外部に出た状態となる（図１３（２）参照）。このとき、ディスク検出部１３と第２ディスク排出検出部２０の上には信号記録面領域２ｂが来ており、検出信号ＡとＤがＨレベルとなるようになっている。
【００１６】
これと異なり、ディスク装填時に判別して記憶しておいたＳＩＺＥデータが８ｃｍであれば、第２ディスク排出検出部２０の検出信号Ｄがディスクが排出位置に来たことを示すＬレベルになるのを待ち（ステップＳ３１、Ｓ３３）、ＤがＬレベルになったところで８ｃｍのシングルＣＤ３の排出完了と判断し（図１６（１）参照）、更に１３０  ｍｓ経過するのを待ったあと駆動部１２を制御してローディングモータ１１を停止させ、スロットイン式ローディングメカ部１０のアンローディング動作を停止させる（ステップＳ３４、Ｓ３５）。これにより、８ｃｍのシングルＣＤ３の排出が完了し、ほぼシングルＣＤ３の半分がスロット部４から外部に出た状態となる（図１６（２）参照）。このとき、ディスク検出部１３の上には信号記録面領域３ｂが来ており、検出信号ＡがＨレベルとなるようになっている。
【００１７】
ＣＤ２またはシングルＣＤ３の排出を完了したあと、コントロール部２４はディスク検出部１３と第１ディスク排出検出部１７と第２ディスク排出検出部２０からの検出信号ＡとＣとＤが全てＬレベルになったかのチェックと、第１ディスク排出検出部１７又は第２ディスク排出検出部２０からの検出信号Ｃ又はＤがＬレベルからＨレベルに立ち上がったかのチェックを繰り返す（ステップＳ３６、Ｓ３７）。ユーザが排出完了後のＣＤ２またはシングルＣＤ３をスロット部４から取り出すと、少なくとも検出信号ＡまたはＤまたはＣのいずれか１つがディスク無しを示すＬレベルになるので、コントロール部２４はステップＳ３６でＹＥＳと判断し、図１０のステップＳ１０に戻り、新たなＣＤ２またはシングルＣＤ３が挿入されるのを待つ。
若し、ユーザが一度排出されたＣＤ２またはシングルＣＤ３を再度聴取するため、ＣＤ２またはシングルＣＤ３をスロット部４の中に押し込み、ＣＤ２またはシングルＣＤ３の信号記録面領域２ｂまたは３ｂが第１ディスク排出検出部１７または第２ディスク排出検出部２０の上に来たとき、検出信号ＣまたはＤのいずれかがＬレベルからＨレベルに立ち上がる（図１４または図１７参照）。すると、コントロール部２４はステップＳ３７でＹＥＳと判断し、図１０のステップＳ１１に進んで、前述と全く同様にしてローディング動作を行わせる。
【００１８】
【発明が解決しようとする課題】
ところで、ＣＤの中には図１８（１）の符号３０に示す如く、信号は８ｃｍのシングルＣＤ３と同じ範囲にしか記録されていないが、サイズは通常のＣＤ２と同じ１２ｃｍのクールＣＤと称せられている規格外のものが有る。このクールＣＤ３０でも中心にはターンテーブル５の凸部６と着脱自在に嵌合する中心孔３０ａが開いている。そして、中心孔３０ａの外側で半径２０ｍｍまでが透明領域３０ｃ、透明領域３０ｃの外側で半径３８ｍｍまでが信号記録面領域３０ｂとなっており、この信号記録面領域３０ｂの外側が全て透明領域３０ｄとなっている。
【００１９】
このクールＣＤ３０を上記したスロットイン式ＣＤプレーヤに挿入した場合、信号記録面領域３０ｂがディスク検出部１３の上に来て検出信号ＡがＨレベルになると（図１９（１）参照）、あとはコントロール部２４の制御で１２ｃｍの通常のＣＤ２とほぼ同様にローディング動作が行われて図１９（２）の如くディスク装填状態となるが、ディスク装填完了時のサイズ判別ではディスク検出部１３の上に透明領域３０ｄが来ているので、発光素子１４から発射した光が反射されず受光素子１５に入射しないため、ＳＩＺＥデータが８ｃｍとなる。よって、アンローディング動作は８ｃｍのシングルＣＤ３とほぼ同様になされ、アンローディング動作停止時は図２０如くなり、スロット部４から一部が外に出るので、ユーザはクールＣＤ３０を取り出し可能となる。
【００２０】
けれども、クールＣＤの中には図１８（２）の符号３１に示す如く、中心にはターンテーブル５の凸部６と着脱自在に嵌合する中心孔３１ａが開いており、中心孔３１ａの外側で半径２０ｍｍまでが透明領域３１ｃ、透明領域３１ｃの外側で半径３８ｍｍまでが信号記録面領域３１ｂ、この信号記録面領域３１ｂの外側が全て透明領域３１ｄとなっており、更に、上面側に透明領域３１ｃや３１ｄの上まではみ出してラベル３２が貼られたものがある。
【００２１】
ラベル３２は光に対し反射面として働くので、クールＣＤ３１を上記したスロットイン式ＣＤプレーヤに挿入した場合、信号記録面領域３１ｂまたはラベル３２がディスク検出部１３の上に来て検出信号ＡがＨレベルになると（図２１（１）参照）、あとはコントロール部２４の制御で１２ｃｍの通常のＣＤ２とほぼ同様にローディング動作が行われる。ここで例えば図２１（２）の如くディスク装填状態となったとき、ディスク装填完了時のサイズ判別ではディスク検出部１３の上にラベル３２が来ているため、発光素子１４から発射した光が反射されて受光素子１５に入射するので、ＳＩＺＥデータが１２ｃｍとなってしまう。すると、アンローディング動作は１２ｃｍのＣＤ２と同様に第１ディスク排出検出部１７でディスクが排出位置に来たことが検出されて検出信号ＣがＬレベルになったあと、１３０  ｍｓ経過した時点で停止されることになる。例えば、イジェクト操作時点でのクールＣＤ３１の状態が図２２（１）の如くなっており、ディスク検出部１３の上にラベル３２が来ていなかった場合、アンローディング動作開始後、直ぐにアンローディング動作が停止してしまうので、クールＣＤ３１はセットの中に入ったままとなり、取り出せなくなってしまうという不都合が生じていた（図２２（２）参照）。ラベル３２の貼られた領域に、ラベルの代わりに絵が描かれていた場合も全く同様の問題が生じていた。
本発明は上記した従来技術の問題に鑑み、規格外れの光ディスクを挿入しても取り出し不能とならないようにできるスロットイン式光ディスク再生装置を提供することを、その目的とする。
【００２２】
【課題を解決するための手段】
本発明の請求項１記載のスロットイン式光ディスク再生装置では、光ディスクを出し入れするスロット部と、光ディスクを回転して記録信号を読み取り可能とする回転部と、スロット部から回転部へ光ディスクを移動して装填させるローディング動作及び回転部からスロット部へ光ディスクを移動して排出させるアンローディング動作を行うスロットイン式ローディング部と、スロットイン式ローディング部のローディング動作で光ディスクが回転部に装填状態となったことを検出するための装填検出部と、スロットイン式ローディング部のアンローディング動作で光ディスクが所定の排出位置に来たことを検出するための排出検出部と、光ディスク未装填状態でスロット部から光ディスクが挿入されるとスロットイン式ローディング部を制御してローディング動作を開始させ、装填検出部で光ディスクが装填状態となったことが検出された所でローディング動作を停止させ、反対に、光ディスク装填状態でイジェクト操作部でイジェクト操作がされると、スロットイン式ローディング部を制御してアンローディング動作を開始させ、排出検出部で光ディスクが排出位置に来たことが検出されるとアンローディング動作を停止させるローディング制御部と、を含み、前記ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作がされると、イジェクト操作がされている間、スロットイン式ローディング部を制御してアンローディング動作を継続させるようにしたこと、を特徴としている。
請求項１記載のスロットイン式光ディスク再生装置によれば、光ディスク装填状態でイジェクト操作部でイジェクト操作がされると、スロットイン式ローディング部を制御してアンローディング動作を開始させ、排出検出部で光ディスクが排出完了位置に来たことが検出されるとアンローディング動作を停止させる。これにより、規格に則った光ディスクを確実にスロット部から外側へ排出させることができる。若し、規格外のためなどで光ディスクの排出量が足らなかった場合、更にイジェクト操作をすれば、イジェクト操作がされている間、アンローディング動作が継続されるので、所望の量だけ排出させることで確実に光ディスクを取り出すことができる。
請求項２記載のスロットイン式光ディスク再生装置では、請求項１記載の装置において、ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作がされると、所定の一定時間内に限ってイジェクト操作がされている間、スロットイン式ローディング部を制御してアンローディング動作を継続させるようにしたこと、を特徴としている。
これにより、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作をしたときになされるアンローディング動作の続行時間が所定の一定時間内制限されるので、イジェクト操作を継続し過ぎても、光ディスクがスロット部から完全に出てしまうことはない。
本発明の請求項３記載のスロットイン式光ディスク再生装置では、複数のサイズの光ディスクを出し入れするスロット部と、光ディスクを回転して記録信号を読み取り可能とする回転部と、スロット部から回転部へ光ディスクを移動して装填させるローディング動作及び回転部からスロット部へ光ディスクを移動して排出させるアンローディング動作を行うスロットイン式ローディング部と、光ディスクのサイズを検出するサイズ検出部と、スロットイン式ローディング部のローディング動作で光ディスクが回転部に装填状態になったことを検出するための装填検出部と、サイズ別に設けられて、スロットイン式ローディング部のアンローディング動作で光ディスクがサイズに応じた所定の排出位置に来たことを検出するための複数の排出検出部と、光ディスク未装填状態でスロット部から光ディスクが挿入されるとスロットイン式ローディング部を制御してローディング動作を開始させ、装填検出部で光ディスクが回転部に装填状態になったことが検出された所でローディング動作を停止させ、光ディスク装填状態でイジェクト操作部でイジェクト操作がされると、スロットイン式ローディング部を制御してアンローディング動作を開始させ、サイズ検出部で検出されたサイズに応じた排出検出部で光ディスクが排出位置に来たことが検出されるとアンローディング動作を停止させるローディング制御部と、を含み、前記ローディング部は、光ディスク装填状態でのイジェクト操作部でのイジェクト操作により、スロットイン式ローディング部を制御してアンローディグ動作を開始させ、サイズ検出部で検出されたサイズに応じた排出検出部で光ディスクが排出位置に来たことが検出されたところでアンローディング動作を停止させて光ディスクの排出を完了した後、イジェクト操作部で更にイジェクト操作がされると、イジェクト操作がされている間、スロットイン式ローディング部を制御してアンローディング動作を継続させるようにしたこと、を特徴としている。
請求項３記載のスロットイン式光ディスク再生装置によれば、光ディスク装填状態でイジェクト操作部でイジェクト操作がされると、スロットイン式ローディング部を制御してアンローディング動作を開始させ、サイズ検出部で検出されたサイズに応じた排出検出部で光ディスクが排出位置に来たことが検出されるとアンローディング動作を停止させる。これにより、規格に則った各種サイズの光ディスクを確実にスロット部から外側へ排出させることができる。若し、規格外のためなどで光ディスクの排出量が足らなかった場合、更にイジェクト操作をすれば、イジェクト操作がされている間、アンローディング動作が継続されるので、所望の量だけ排出させることで確実に光ディスクを取り出すことができる。
請求項４記載のスロットイン式光ディスク再生装置では、請求項３記載の装置において、ローディング制御部は、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、光ディスクの排出完了後、更にイジェクト操作部でイジェクト操作がされると、所定の一定時間内に限ってイジェクト操作がされている間、スロットイン式ローディング部を制御してアンローディング動作を継続させるようにしたこと、を特徴としている。
これにより、光ディスク装填状態でのイジェクト操作部でのイジェクト操作により、スロットイン式ローディング部を制御してアンローディグ動作を開始させ、排出検出部で光ディスクが排出位置に来たことが検出されたところでアンローディング動作を停止させて光ディスクの排出を完了した後、更にイジェクト操作部でイジェクト操作をしたときになされるアンローディング動作の続行時間が所定の一定時間内制限されるので、イジェクト操作を継続し過ぎても、光ディスクがスロット部から完全に出てしまうことはない。
【００２３】
【発明の実施の形態】
次に、本発明の一つの実施の形態を図１を参照して説明する。
図１は本発明に係るスロットイン式ＣＤプレーヤの構成図であり、図９と同一の構成部分には同一の符号が付してある。
２４Ａはプレーヤの全体的な制御を司るマイコン構成のコントロール部であり、ディスク未装填状態で直径１２ｃｍの通常のＣＤ（図９の符号２参照）、直径８ｃｍのシングルＣＤ３、直径は１２ｃｍであるが信号記録面領域はシングルＣＤと同じ範囲のクールＣＤ３１（または図１８の符号３０参照）など各種のＣＤがスロット部４から挿入されたとき、スロットイン式ローディングメカ部１０、ローディングモータ１１、駆動部１２から成るスロットイン式ローディング部を制御してローディング動作を行わせ、ターンテーブル５に装填させる。反対にディスク装填状態でイジェクトキーが押されてイジェクト操作がされたとき、スロットイン式ローディング部を制御してアンローディング動作を行わせ、ディスクサイズに応じた所定位置に排出させる。また、コントロール部２４Ａはディスク装填状態でＰＬＡＹキーが押されるとスピンドルモータによりターンテーブル５を回転させながら、光ピックアップ７、図示しないヘッドアンプ及び信号処理部から成る再生系を制御してディスクの再生を行わせる。
【００２４】
コントロール部２４Ａは、イジェクト操作に従い一度アンローディング動作を行わせ、排出が完了したあと、再度イジェクト操作がされると、イジェクト操作がされている間、スロットイン式ローディング部を制御してアンローディング動作を継続させ、イジェクト操作が終わるとアンローディング動作を停止させる。これにより、規格外のクールＣＤなどのため、正しい位置まで排出されなかったディスクでも、所望の量だけ排出させることができるので、取り出し不能となることはない。
図１のその他の構成部分は図９と全く同様に構成されている。
【００２５】
図２と図３はコントロール部２４Ａの制御処理を示すフローチャート、図４〜図７はアンローディング動作の説明図であり、以下、これらの図を参照してスロットイン式ＣＤプレーヤにおけるローディング／アンローディング動作を説明する。なお、最初、ターンテーブル５はディスク未装填状態であり、Ａ〜ＤがいずれもＬレベルになっているものとする。
【００２６】
（１）信号記録面領域以外に光を反射する部分が無いクールＣＤ３０の場合
ユーザが図１８（１）に示すクールＣＤ３０をスロット部４から挿入し、信号記録面領域３０ｂがディスク検出部１３の上に来て発光素子１４から発射された光が受光素子１５で受光されると、該受光素子１５からディスク在りを示すＨレベルの検出信号Ａが出力される（図１９（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０に対するローディング駆動を開始させ、スロットイン式ローディングメカ部１０にローディング動作を開始させる（ステップＳ４１）。これにより、クールＣＤ３０はスロット部４からターンテーブル５に移動され、中心孔３０ａが凸部６に嵌合してディスク装填状態となる（図１９（２）参照。この際、スロットイン式ローディングメカ部１０に連動した図示しないチャッキングメカ部によりクールＣＤ３０がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００２７】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０に対するローディング駆動を停止させ、スロットイン式ローディングメカ部１０のローディング動作を停止させる（ステップＳ４３）。このとき、ディスク検出部１３から入力された検出信号Ａをチェックして今回装填されたディスクのサイズを判別し、判別結果をＳＩＺＥデータとして記憶しておく（ステップＳ４４）。ここでは、ディスク検出部１３の上が透明領域３０ｄなので、発光素子１４から発射された光は受光素子１５に入射せず、ＡがＬレベルとなるのでＳＩＺＥデータ＝８ｃｍである。このようにクールＣＤ３０のターンテーブル５への装填が完了したとき、第２ディスク排出検出部２０の真上に信号記録面領域３０ｂが来て、発光素子２１から発射された光が受光素子２２で受光され、該受光素子２２からＨレベルの検出信号Ｄが出力される（図１９（２）参照）。
【００２８】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３０を先頭から再生させ、最後まで再生が終わるか、ＳＴＯＰキーが押された所で再生を停止させる（ステップＳ４５〜Ｓ４９）。
【００２９】
ユーザがターンテーブル５に装填状態となっているクールＣＤ３０を取り出したいとき、操作部２３のイジェクトキーを押し、イジェクト操作を行う。すると、コントロール部２４ＡはステップＳ５０でＹＥＳと判断し、図３のフローへ進む。なお、ディスクの再生中にイジェクト操作がされたときは、再生を停止させたあと図３のフローへ進む（ステップＳ５１でＹＥＳ、Ｓ５２）。図３のフローではまず、駆動部１２を制御してローディングモータ１１の逆転駆動を開始させ、スロットイン式ローディングメカ部１０に対するアンローディング駆動を開始さ、スロットイン式ローディングメカ部１０のアンローディング動作を開始させる（ステップＳ６０）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３０が上昇して中心孔３０ａがターンテーブル５の凸部６から外れる（この段階で装填完了検出部１６の接点が開き、検出信号ＢはＬレベルに落ちる）。次に、クールＣＤ３０がスロット部４の方向に真っ直ぐ移動していく。
【００３０】
コントロール部２４ＡはステップＳ６０のあと、ディスク装填時に判別して記憶しておいたＳＩＺＥデータが８ｃｍなので、小サイズ用の第２ディスク排出検出部２０の検出信号Ｄがディスクが排出位置に来たことを示すＬレベルになるのを待つ（ステップＳ６１、Ｓ６３）。ＤがＬレベルになったところでディスクが排出位置に来たと判断し、更に１３０  ｍｓの待ち時間を取ったあと駆動部１２を制御してローディングモータ１１を停止させ、スロットイン式ローディングメカ部１０に対するアンローディング駆動を停止させてアンローディング動作を停止させる（ステップＳ６４、Ｓ６５）。これにより、クールＣＤ３０のほぼ半分がスロット部４から外部に排出された状態となり、ユーザが取り出し不能となることはない（図４（１）参照）。ステップＳ６４で１３０  ｍｓの待ち時間を取ることで、信号記録面領域３０ｂを第２ディスク排出検出部２０から離れた位置に来るようにし、振動が起きても誤って第２ディスク排出検出部２０がＨレベルを出力しないようにできる。アンローディング動作が停止したとき、信号記録面領域３０ｂがディスク検出部１３の上に来るので、検出信号ＡはＨレベルとなる。
【００３１】
排出が完了したクールＣＤ３０を取り出すと、ディスク検出部１３がディスク無しを示すＬレベルの検出信号を出力するので、コントロール部２４ＡはステップＳ７０でＹＥＳと判断し、図２のステップＳ４０に戻る。
若し、ユーザが一度排出されたクールＣＤ３０を再度聴取するため、クールＣＤ３０をスロット部４の中に押し込み、信号記録面領域３０ｂが第２ディスク排出検出部２０の上に来たとき、検出信号ＤがＬからＨレベルに変わる（図４（２）参照）。すると、コントロール部２４ＡはステップＳ７１でＹＥＳと判断し、図２のステップＳ４１に進んで、前述と全く同様にしてローディング動作を行わせる。
【００３２】
（２）通常の８ｃｍのシングルＣＤを挿入した場合
クールＣＤ３０を取り出し、代わりに図１に示す８ｃｍのシングルＣＤ３をスロット部４から挿入した場合、（１）と全く同様にしてディスク検出部１３の上に信号記録面領域３ｂが来てＨレベルの検出信号Ａが入力されると（図１５（１）参照）、ローディング駆動を開始させ、装填完了検出部１６からＨレベルの検出信号Ｂが出力された所でローディング駆動を停止させる（図２のステップＳ４０〜Ｓ４３。図１５（２）参照）。そして、ディスク検出部１３から入力された検出信号Ａをチェックして今回装填されたディスクのサイズを判別し、判別結果をＳＩＺＥデータとして記憶しておく（ステップＳ４４）。ここでは、ＡがＬレベルとなるのでＳＩＺＥデータ＝８ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりシングルＣＤ３を先頭から再生させ、最後まで再生が終わるか、ＳＴＯＰキーが押された所で再生を停止させる（ステップＳ４５〜Ｓ４９）。
【００３３】
ユーザがターンテーブル５に装填状態となっているシングルＣＤ３を取り出したいとき、操作部２３のイジェクトキーを押し、イジェクト操作を行う。すると、コントロール部２４ＡはステップＳ５０でＹＥＳと判断し、図３のフローへ進む。なお、ディスクの再生中にイジェクト操作がされたときは、再生を停止させたあと図３のフローへ進む（ステップＳ５１でＹＥＳ、Ｓ５２）。図３のフローではまず、コントロール部２４Ａはアンローディング駆動を開始させ（ステップＳ６０）、ディスク装填時に判別して記憶しておいたＳＩＺＥデータが８ｃｍなので、小サイズ用の第２ディスク排出検出部２０の検出信号Ｄがディスクが排出位置に来たことを示すＬレベルになるのを待つ（ステップＳＳ６１、６３）。ＤがＬレベルになったところでディスクが排出位置に来たと判断し（ステップＳ６３でＹＥＳ。図１６（１）参照）、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５）。これにより、８ｃｍのシングルＣＤ３に適った排出量を確保でき、スロット部４からほぼ半分を外に出すことができる（図１６（２）参照）。
【００３４】
（３）通常の１２ｃｍのＣＤを挿入した場合
シングルＣＤ３を取り出し、代わりに図８に示す１２ｃｍの通常のＣＤ２をスロット部４から挿入した場合、ディスク検出部１３の上に信号記録面領域２ｂが来てＨレベルの検出信号Ａが入力されると、ローディング駆動を開始させ（図２のステップＳ４０、Ｓ４１。図１２（１）参照）、装填完了検出部１６からＨレベルの検出信号Ｂが出力された所でローディング駆動を停止させる（ステップＳ４２、Ｓ４３。図１２（２）参照）。そして、ディスク検出部１３から入力された検出信号Ａをチェックして今回装填されたディスクのサイズを判別し、判別結果をＳＩＺＥデータとして記憶しておく（ステップＳ４４）。ここでは、信号記録面領域２ｂがディスク検出部１３の上に来てＡがＨレベルとなるのでＳＩＺＥデータ＝１２ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりＣＤ２を先頭から再生させ、最後まで再生が終わるか、ＳＴＯＰキーが押された所で再生を停止させる（ステップＳ４５〜Ｓ４９）。
【００３５】
ユーザがターンテーブル５に装填状態となっているＣＤ２を取り出したいとき、操作部２３のイジェクトキーを押し、イジェクト操作を行う。すると、コントロール部２４ＡはステップＳ５０でＹＥＳと判断し、図３のフローへ進む。なお、ディスクの再生中にイジェクト操作がされたときは、再生を停止させたあと図３のフローへ進む（ステップＳ５１でＹＥＳ、Ｓ５２）。図３のフローではまず、コントロール部２４Ａはアンローディング駆動を開始させ、ディスク装填時に判別して記憶しておいたＳＩＺＥデータが１２ｃｍなので、大サイズ用の第１ディスク排出検出部１７の検出信号Ｃがディスクが排出位置に来たことを示すＬレベルになるのを待つ（ステップＳ６０〜Ｓ６２）。第１ディスク排出検出部１７の上に信号記録面領域２ｂが無い状態となり、ＣがＬレベルになったところでディスクが排出位置に来たと判断し（ステップＳ６２でＹＥＳ、図１３（１）参照）、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５。図１３（２）参照）。これにより、スロット部４から外側へ１２ｃｍのサイズのＣＤ２に適した排出量を確保でき、ユーザが取り出し不能とならない。
【００３６】
（４）外周側の透明領域にはみ出してラベルが貼られたクールＣＤの場合
ユーザが図１に示すクールＣＤ３１をスロット部４から挿入し、信号記録面領域３１ｂまたはラベル３２がディスク検出部１３の上に来て発光素子１４から発射された光が受光素子１５で受光されると、該受光素子１５からディスク在りを示すＨレベルの検出信号Ａが出力される（図２１（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０をローディング駆動させる（ステップＳ４１）。これにより、クールＣＤ３１はスロット部４からターンテーブル５に移動され、中心孔３１ａが凸部６に嵌合して装填状態となる（この際、スロットイン式ローディングメカ部１０に連動した図示しないチャッキングメカ部によりクールＣＤ３１がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００３７】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０のローディング駆動を停止させる（ステップＳ４３）。このとき、ディスク検出部１３から入力された検出信号Ａをチェックして今回装填されたディスクのサイズを判別し、判別結果をＳＩＺＥデータとして記憶しておく（ステップＳ４４）。ここでは、ラベル３２がディスク検出部１３の上に来ており、発光素子１４から発せられた光がラベル３２の裏面で反射して受光素子１５に入射し、ＡがＨレベルであったのでＳＩＺＥデータ＝１２ｃｍとなったものとする（図２１（２）参照）。このようにクールＣＤ３１のターンテーブル５への装填が完了したとき、第２ディスク排出検出部２０の真上に信号記録面領域３１ｂが来て発光素子２１から発射された光が受光素子２２で受光され、該受光素子２２からＨレベルの検出信号Ｄが出力される。
【００３８】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３１を先頭から再生させ、最後まで再生が終わるか、ＳＴＯＰキーが押された所で再生を停止させる（ステップＳ４５〜Ｓ４９）。
【００３９】
ユーザがターンテーブル５に装填状態となっているクールＣＤ３１を取り出したいとき、操作部２３のイジェクトキーを押し、イジェクト操作を行う。すると、コントロール部２４ＡはステップＳ５０でＹＥＳと判断し、図３のフローへ進む。なお、ディスクの再生中にイジェクト操作がされたときは、再生を停止させたあと図３のフローへ進む（ステップＳ５１でＹＥＳ、Ｓ５２）。図３のフローではまず、コントロール部２４Ａは駆動部１２を制御してローディングモータ１１を一定速度で逆転させ、スロットイン式ローディングメカ部１０をアンローディング駆動を開始させる（ステップＳ６０）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３１が上昇して中心孔３１ａがターンテーブル５の凸部６から外れる（この段階で装填完了検出部１６の接点が開き、検出信号ＢはＬレベルに落ちる）。次に、クールＣＤ３１がスロット部４の方向に真っ直ぐ移動していく。
【００４０】
コントロール部２４ＡはステップＳ６０のあと、ディスク装填時に判別して記憶しておいたＳＩＺＥデータが１２ｃｍなので大サイズ用の第１ディスク排出検出部１７の検出信号Ｃがディスクが排出位置に来たことを示すＬレベルになるのを待つ（ステップＳ６１、Ｓ６２）。ＣがＬレベルになったところでディスクが排出位置に来たと判断し（ステップＳ６２でＹＥＳ）、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５）。
【００４１】
ここで、イジェクト操作をしたときのクールＣＤ３１が図５（１）の状態であったとき、第１ディスク排出検出部１７の上には信号記録面領域３１ｂは勿論のことラベル３２も無いので、発光素子１８から出た光は受光素子１９に入射されず、第１ディスク排出検出部１７は検出信号ＣをＬレベルとしている。このため、アンローディング動作を開始してから直ぐにステップＳ６２でＹＥＳとなってしまい、クールＣＤ３１がセットの中に入ったままで排出が完了してしまい、そのままでは取り出し不能となってしまう（図５（２）の一点鎖線Ｘ。図２２（２）参照）。
【００４２】
この実施の形態では、ディスクの排出完了後、ユーザが再度イジェクトキーを押し、イジェクト操作をすると、コントロール部２４Ａは駆動部１２を制御してローディングモータ１１を一定速度で逆転させ、スロットイン式ローディングメカ部１０に対するアンローディング駆動を開始させ、スロットイン式ローディングメカ部１０のアンローディング動作を再開させる（ステップＳ６６、Ｓ６７）。このアンローディング駆動はイジェクトキーが押し続けられてイジェクト操作が続けられている間続行される。スロット部４からクールＣＤ３１が取り出し易い排出量まで出た所でイジェクトキーを離し、イジェクト操作を終えれば、コントロール部２４Ａが駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ６８、Ｓ６９。図５（２）の実線Ｙ参照）。これにより、ユーザは簡単にクールＣＤ３１を取り出すことができる。
【００４３】
若し、イジェクト操作をしたときのクールＣＤ３１が図６（１）の状態であったとき、第１ディスク排出検出部１７の上にラベル３２が有るので、第１ディスク排出検出部１７は検出信号ＣをＨレベルとしている。このため、ステップＳ６０でアンローディング動作開始後、アンローディング動作が暫く継続し、ラベル３２の縁が第１ディスク排出検出部１７の上に差し掛かった所でステップＳ６２でＹＥＳとなり、スロット部４から外側へクールＣＤ３１が半分以上排出されてアンローディング動作が停止するので、そのまま取り出すことができる（図６（２）参照）。
【００４４】
なお、ディスク装填時に判別したディスクサイズが８ｃｍであった場合、アンローディング動作開始後、小サイズ用の第２ディスク排出検出部２０の検出信号Ｄがディスクが排出位置に来たことを示すＬレベルになり、更に１３０  ｍｓ経過した所でアンローディング動作が停止する（図３のステップＳ６０、Ｓ６１、Ｓ６３、Ｓ６４、Ｓ６５）。イジェクト操作をしたときのクールＣＤ３１が図５（１）の状態であれば、排出完了時、クールＣＤ３１は図７（１）の状態となり、イジェクト操作をしたときのクールＣＤ３１が図６（１）の状態であれば、排出完了時、クールＣＤ３１は図７（２）の状態となり、いずれの場合も、スロット部４から外側へクールＣＤ３１が半分近く排出されているので、そのまま取り出すことができる。
【００４５】
この実施の形態によれば、光ディスク装填状態で操作部２３のイジェクトキーが押されてイジェクト操作がされると、コントロール部２４Ａはスロットイン式ローディング部を制御してアンローディング動作を開始させ、大サイズ用のディスク排出検出部１７と小サイズ用のディスク排出検出部２０の内、ディスクをターンテーブル５に装填させたときに判別しておいたサイズに応じた方でディスクが排出位置に来たことが検出されるとアンローディング動作を停止させる。これにより、規格に則ったＣＤ２またはシングルＣＤ３を確実にスロット部４から外側へ排出させることができる。若し、クールＣＤ３１の如く、規格外のためなどでディスクの排出量が足らなかった場合、更にイジェクトキーを押してイジェクト操作をすれば、イジェクト操作がされている間、コントロール部２４はスロットイン式ローディング部を制御してアンローディング動作を継続させるので、所望の量だけ排出させることができ、確実にディスクを取り出すことができる。
【００４６】
なお、図３のフローを図８の如く変形し、ステップＳ６８でＮＯの場合、ステップＳ７２に進み、イジェクトキーが押圧されてから所定の一定時間（例えば、光ディスクを３〜５ｃｍ程度外部の方向へ移動させる時間）経過したかチェックし、ＮＯの場合はステップＳ６８に戻るが、ＹＥＳの場合は、ステップＳ６９に進んで自動的にアンローディング動作を停止させるようにしても良い。このようにすれば、ユーザが誤って長くイジェクトキーを押し続け、長くイジェクト操作を続けても、一定時間内しかアンローディング動作を続行させないことで、ディスクがスロット部４から完全に外に出てしまうのを防止するこができる。
また、上記した実施の形態及び変形例ではディスクのサイズはターンテーブル５に装填された直後に判別するようにしたが、ターンテーブル５に装填されてから、図３のステップ６０でアンローディング駆動が開始されるまでの間（ディスクがターンテーブル５に装填状態となっている間）に判別すれば良い。
【００４７】
【発明の効果】
本発明によれば、規格に則った光ディスクを確実にスロット部から外側へ排出させることができ、規格外のためなどで光ディスクの排出量が足らなかった場合でも更にイジェクト操作をして所望の量だけ排出させることで確実に光ディスクを取り出すことができる。
【図面の簡単な説明】
【図１】本発明の一つの実施の形態に係るスロットイン式ＣＤプレーヤの構成図である。
【図２】図１中のコントロール部の制御処理を示すフローチャートである。
【図３】図１中のコントロール部の制御処理を示すフローチャートである。
【図４】図１のローディング／アンローディング動作の説明図である。
【図５】図１のローディング／アンローディング動作の説明図である。
【図６】図１のローディング／アンローディング動作の説明図である。
【図７】図１のローディング／アンローディング動作の説明図である。
【図８】図３の変形例を示すフローチャートである。
【図９】従来のスロットイン式ＣＤプレーヤの構成図である。
【図１０】図９中のコントロール部の制御処理を示すフローチャートである。
【図１１】図９中のコントロール部の制御処理を示すフローチャートである。
【図１２】図９のローディング／アンローディング動作の説明図である。
【図１３】図９のローディング／アンローディング動作の説明図である。
【図１４】図９のローディング／アンローディング動作の説明図である。
【図１５】図９のローディング／アンローディング動作の説明図である。
【図１６】図９のローディング／アンローディング動作の説明図である。
【図１７】図９のローディング／アンローディング動作の説明図である。
【図１８】規格と異なるタイプのＣＤの外観図である。
【図１９】図９のローディング／アンローディング動作の説明図である。
【図２０】図９のローディング／アンローディング動作の説明図である。
【図２１】図９のローディング／アンローディング動作の説明図である。
【図２２】図９のローディング／アンローディング動作の説明図である。
【符号の説明】
２  ＣＤ                          ２ａ、３ａ、３０ａ、３１ａ  中心孔
２ｂ、３ｂ、３０ｂ、３１ｂ  信号記録面領域
２ｃ、２ｄ、３ｃ、３ｄ、３０ｃ、３０ｄ、３１ｃ、３１ｄ  透明領域
３  シングルＣＤ                  ４  スロット部
５  ターンテーブル                ６  凸部
１０  スロットイン式ローディングメカ部
１１  ローディングモータ          １２  駆動部
１３  ディスク検出部              １４、１８、２１  発光素子
１５、１９、２２  受光素子        １６  装填完了検出部
１７  第１ディスク排出検出部      ２０  第２ディスク排出検出部
２３  操作部                      ２４Ａ  コントロール部
【図１】
0003626034.tif 000002
【図２】
0003626034.tif 000003
【図３】
0003626034.tif 000004
【図４】
0003626034.tif 000005
【図５】
0003626034.tif 000006
【図６】
0003626034.tif 000007
【図７】
0003626034.tif 000008
【図８】
0003626034.tif 000009
【図９】
0003626034.tif 000010
【図１０】
0003626034.tif 000011
【図１１】
0003626034.tif 000012
【図１２】
0003626034.tif 000013
【図１３】
0003626034.tif 000014
【図１４】
0003626034.tif 000015
【図１５】
0003626034.tif 000016
【図１６】
0003626034.tif 000017
【図１７】
0003626034.tif 000018
【図１８】
0003626034.tif 000019
【図１９】
0003626034.tif 000020
【図２０】
0003626034.tif 000021
【図２１】
0003626034.tif 000022
【図２２】
0003626034.tif 000023